【手続補正書】
【提出日】平成20年9月8日(2008.9.8)
【手続補正１】
【補正対象書類名】明細書
【補正対象項目名】特許請求の範囲
【補正方法】変更
【補正の内容】
【特許請求の範囲】
【請求項１】
テキストデータを受信する受信手段と、
前記テキストデータの内容が文字情報であるか否かを判断する判断手段と、
前記テキストデータの内容が文字情報であると判断した場合、前記テキストデータを、そこに含まれる文字を視覚的に表すための画像データに変換する変換手段と、
前記変換手段で変換した該画像データと、前記受信手段で受信した前記テキストデータと、の両方を記憶手段に保存するように制御する制御手段と、
を有することを特徴とする通信装置。
【請求項２】
受信したテキストデータを転送する転送手段と、
ファクシミリ通信として転送する場合には、前記記憶手段から前記画像データを読出して転送し、テキストデータのまま転送する場合には前記記憶手段から前記テキストデータを読出して転送するように制御する転送制御手段と、
を更に有することを特徴とする請求項１に記載の通信装置。
【請求項３】
テキストデータを前記受信手段で受信した場合に、前記変換手段で変換した前記画像データに基づいて、自動的に記録材に画像を記録する記録手段を更に有することを特徴とする請求項１又は２に記載の通信装置。
【請求項４】
テキストデータを受信する受信工程と、
前記テキストデータの内容が文字情報であるか否かを判断する判断工程と、
前記テキストデータの内容が文字情報であると判断した場合、前記テキストデータを、そこに含まれる文字を視覚的に表すための画像データに変換する変換工程と、
前記変換工程で変換した該画像データと、前記受信工程で受信した前記テキストデータと、の両方を記憶手段に保存するように制御する制御工程と、
を有することを特徴とする通信方法。
【請求項５】
前記受信工程で受信した前記テキストデータの転送に際し、ファクシミリ通信として転送する場合には、前記記憶手段から前記画像データを読出して転送し、テキストデータのまま転送する場合には前記記憶手段から前記テキストデータを読出して転送する転送工程を更に有することを特徴とする請求項４に記載の通信方法。
【請求項６】
テキストデータを前記受信工程で受信した場合に、前記変換工程で変換した前記画像データに基づいて、自動的に記録材に画像を記録する記録工程を更に有することを特徴とする請求項４又は５に記載の通信方法。
【請求項７】
プロセッサ及び記憶手段を有する受信装置を制御する制御プログラムであって、
前記プロセッサに、
テキストデータを受信する受信工程と、
前記テキストデータの内容が文字情報であるか否かを判断する判断工程と、
前記テキストデータの内容が文字情報であると判断した場合、前記テキストデータを、そこに含まれる文字を視覚的に表すための画像データに変換する変換工程と、
前記変換工程で変換した該画像データと、前記受信工程で受信した前記テキストデータと、の両方を前記記憶手段に保存するように制御する制御工程と、
を実行させることを特徴とする制御プログラム。
【請求項８】
前記プロセッサに、
前記受信工程で受信した前記テキストデータの転送に際し、ファクシミリ通信として転送する場合には、前記記憶手段から前記画像データを読出して転送し、テキストデータのまま転送する場合には前記記憶手段から前記テキストデータを読出して転送する転送工程を更に実行させることを特徴とする請求項７に記載の制御プログラム。
【請求項９】
前記プロセッサに、
テキストデータを前記受信工程で受信した場合に、前記変換工程で変換した前記画像データに基づいて、自動的に記録材に画像を記録する記録工程を更に実行させることを特徴とする請求項７又は８に記載の制御プログラム。
【請求項１０】
画像情報を表す第１テキストデータおよび文字情報を表す第２テキストデータを含む電子メールを受信する受信手段と、
前記受信手段で前記電子メールを受信した場合に、前記第１テキストデータを画像データに変換する第１変換手段と、
前記受信手段で前記電子メールを受信した場合に、前記第２テキストデータを、該第２テキストデータに含まれる文字を視覚的に表すための画像データに変換する第２変換手段と、
受信したテキストデータを転送する転送手段と、
を備え、
ファクシミリ通信として転送する場合には、前記電子メールを前記第１変換手段と前記第２変換手段とを用いて、画像データに変換し、前記転送手段で転送することを特徴とする通信装置。
【請求項１１】
画像情報を表す第１テキストデータおよび文字情報を表す第２テキストデータを含む電子メールを受信する受信工程と、
前記受信工程で前記電子メールを受信した場合に、前記第１テキストデータを画像データに変換する第１変換工程と、
前記受信工程で前記電子メールを受信した場合に、前記第２テキストデータを、該第２テキストデータに含まれる文字を視覚的に表すための画像データに変換する第２変換工程と、
前記第１変換工程及び前記第２変換工程において変換された画像データをファクシミリ通信として転送する転送工程と、
を含むことを特徴とする通信方法。
【請求項１２】
プロセッサ及び記憶手段を有する受信装置を制御する制御プログラムであって、
前記プロセッサに、
画像情報を表す第１テキストデータおよび文字情報を表す第２テキストデータを含む電子メールを受信する受信工程と、
前記受信工程で前記電子メールを受信した場合に、前記第１テキストデータを画像データに変換する第１変換工程と、
前記受信工程で前記電子メールを受信した場合に、前記第２テキストデータを、該第２テキストデータに含まれる文字を視覚的に表すための画像データに変換する第２変換工程と、
前記第１変換工程及び前記第２変換工程において変換された画像データをファクシミリ通信として転送する転送工程と、
を実行させることを特徴とする制御プログラム。
【請求項１３】
請求項７、８、９又は１２に記載の制御プログラムを格納したことを特徴とする記憶媒体。
【請求項１４】
画像情報を表す第１テキストデータおよび文字情報を表す第２テキストデータを含む電子メールを受信する受信手段と、
前記第１テキストデータを画像データに変換する第１変換手段と、
前記第２テキストデータを、該第２テキストデータに含まれる文字を視覚的に表すための画像データに変換する第２変換手段と、
前記電子メールを前記第１変換手段と前記第２変換手段とを用いて、画像データに変換し、ファクシミリ通信として転送する転送手段と、
を有することを特徴とする通信装置。
【手続補正２】
【補正対象書類名】明細書
【補正対象項目名】０００８
【補正方法】変更
【補正の内容】
【０００８】
【課題を解決するための手段】
上記目的を達成するため、本発明に係る装置は、
テキストデータを受信する受信手段と、
前記テキストデータの内容が文字情報であるか否かを判断する判断手段と、
前記テキストデータの内容が文字情報であると判断した場合、前記テキストデータを、そこに含まれる文字を視覚的に表すための画像データに変換する変換手段と、
前記変換手段で変換した該画像データと、前記受信手段で受信した前記テキストデータと、の両方を記憶手段に保存するように制御する制御手段と、
を有することを特徴とする。
【手続補正３】
【補正対象書類名】明細書
【補正対象項目名】０００９
【補正方法】変更
【補正の内容】
【０００９】
上記目的を達成するため、本発明に係る方法は、
テキストデータを受信する受信工程と、
前記テキストデータの内容が文字情報であるか否かを判断する判断工程と、
前記テキストデータの内容が文字情報であると判断した場合、前記テキストデータを、そこに含まれる文字を視覚的に表すための画像データに変換する変換工程と、
前記変換工程で変換した該画像データと、前記受信工程で受信した前記テキストデータと、の両方を記憶手段に保存するように制御する制御工程と、
を有することを特徴とする。
【手続補正４】
【補正対象書類名】明細書
【補正対象項目名】００１０
【補正方法】変更
【補正の内容】
【００１０】
上記目的を達成するため、本発明に係るプログラムは、
プロセッサ及び記憶手段を有する受信装置を制御する制御プログラムであって、
前記プロセッサに、
テキストデータを受信する受信工程と、
前記テキストデータの内容が文字情報であるか否かを判断する判断工程と、
前記テキストデータの内容が文字情報であると判断した場合、前記テキストデータを、そこに含まれる文字を視覚的に表すための画像データに変換する変換工程と、
前記変換工程で変換した該画像データと、前記受信工程で受信した前記テキストデータと、の両方を前記記憶手段に保存するように制御する制御工程と、
を実行させることを特徴とする。
【手続補正５】
【補正対象書類名】明細書
【補正対象項目名】００１１
【補正方法】変更
【補正の内容】
【００１１】
上記目的を達成するため、本発明に係る装置は、
画像情報を表す第１テキストデータおよび文字情報を表す第２テキストデータを含む電子メールを受信する受信手段と、
前記受信手段で前記電子メールを受信した場合に、前記第１テキストデータを画像データに変換する第１変換手段と、
前記受信手段で前記電子メールを受信した場合に、前記第２テキストデータを、該第２テキストデータに含まれる文字を視覚的に表すための画像データに変換する第２変換手段と、
受信したテキストデータを転送する転送手段と、
を備え、
ファクシミリ通信として転送する場合には、前記電子メールを前記第１変換手段と前記第２変換手段とを用いて、画像データに変換し、前記転送手段で転送することを特徴とする。
【手続補正６】
【補正対象書類名】明細書
【補正対象項目名】００１２
【補正方法】変更
【補正の内容】
【００１２】
上記目的を達成するため、本発明に係る方法は、
画像情報を表す第１テキストデータおよび文字情報を表す第２テキストデータを含む電子メールを受信する受信工程と、
前記受信工程で前記電子メールを受信した場合に、前記第１テキストデータを画像データに変換する第１変換工程と、
前記受信工程で前記電子メールを受信した場合に、前記第２テキストデータを、該第２テキストデータに含まれる文字を視覚的に表すための画像データに変換する第２変換工程と、
前記第１変換工程及び前記第２変換工程において変換された画像データをファクシミリ通信として転送する転送工程と、
を含むことを特徴とする。
【手続補正７】
【補正対象書類名】明細書
【補正対象項目名】００１３
【補正方法】変更
【補正の内容】
【００１３】
上記目的を達成するため、本発明に係るプログラムは、
プロセッサ及び記憶手段を有する受信装置を制御する制御プログラムであって、
前記プロセッサに、
画像情報を表す第１テキストデータおよび文字情報を表す第２テキストデータを含む電子メールを受信する受信工程と、
前記受信工程で前記電子メールを受信した場合に、前記第１テキストデータを画像データに変換する第１変換工程と、
前記受信工程で前記電子メールを受信した場合に、前記第２テキストデータを、該第２テキストデータに含まれる文字を視覚的に表すための画像データに変換する第２変換工程と、
前記第１変換工程及び前記第２変換工程において変換された画像データをファクシミリ通信として転送する転送工程と、
を実行させることを特徴とする。
【手続補正８】
【補正対象書類名】明細書
【補正対象項目名】００１４
【補正方法】変更
【補正の内容】
【００１４】
上記目的を達成するため、本発明に係る装置は、
画像情報を表す第１テキストデータおよび文字情報を表す第２テキストデータを含む電子メールを受信する受信手段と、
前記第１テキストデータを画像データに変換する第１変換手段と、
前記第２テキストデータを、該第２テキストデータに含まれる文字を視覚的に表すための画像データに変換する第２変換手段と、
前記電子メールを前記第１変換手段と前記第２変換手段とを用いて、画像データに変換し、ファクシミリ通信として転送する転送手段と、
を有することを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】